(57)【要約】【課題】ユーザーの電子決済に関わる利便性を高める。【解決手段】ＭＦＰ１００の決済情報管理部１１４ｂが複数の電子決済方式のそれぞれを実行させるための複数の決済専用ソフトウェアを管理し、ＬＥＤ１０４が電子決済方式を示す決済方式情報を報知し、システム制御部１２０がＬＥＤ１０４に対し、選択された電子決済方式を示す決済方式情報を報知させる。携帯端末３００では、決済情報管理部３１６ｂが複数の決済専用ソフトウェアを管理し、カメラ３０３及びデコード部３１５が決済方式情報を取得し、システム制御部３１８がカメラ３０３及びデコード部３１５の取得した決済方式情報に対応する決済専用ソフトウェアを起動させる。これにより、携帯端末３００側では、ＭＦＰ１００から取得した決済方式情報に基づき対応する決済専用ソフトウェアを起動させることで、任意の電子決済方式を利用できる。【選択図】図２
2018005711.tif 000002
【特許請求の範囲】
【請求項１】
決済装置と、
携帯端末とを備え、
前記決済装置は、
複数の電子決済方式のそれぞれを実行させるための複数の決済専用ソフトウェアを管理する第１の決済情報管理部と、
前記電子決済方式を示す決済方式情報を報知する報知手段と、
前記報知手段に対し、選択された前記電子決済方式を示す決済方式情報を報知させる第１のシステム制御部とを備え、
前記携帯端末は、
複数の前記決済専用ソフトウェアを管理する第２の決済情報管理部と、
前記決済方式情報を取得する情報取得部と、
前記情報取得部が取得した決済方式情報に対応する前記決済専用ソフトウェアを起動させる第２のシステム制御部とを備える
ことを特徴とする決済システム。
【請求項２】
前記決済装置は、
複数の通信方式のそれぞれを実行させるための複数の通信専用ソフトウェアを管理する第１の接続情報管理部を有し、
前記携帯端末は、
複数の前記通信専用ソフトウェアを管理する第２の接続情報管理部を有し、
前記報知手段は、それぞれの前記通信方式に関わる接続通信情報を報知し、
前記第１のシステム制御部は、前記報知手段に対し、選択された前記通信方式に関わる接続通信情報を報知させ、
前記情報取得部は、前記接続通信情報を取得し、
前記第２のシステム制御部は、前記情報取得部が取得した前記接続通信情報に含まれる前記通信方式に対応した前記通信専用ソフトウェアを起動させる
ことを特徴とする請求項１に記載の決済システム。
【請求項３】
前記電子決済方式は、複数のプリペイド型電子マネーと複数のポストペイ型電子マネーとを含み、
前記第１の決済情報管理部は、前記プリペイド型電子マネーの電子決済方式を実行するための複数のプリペイド決済専用ソフトウェアと、前記ポストペイ型電子マネーの電子決済方式を実行するための複数のポストペイ決済専用ソフトウェアとを管理し、
前記報知手段は、複数の前記電子決済方式を示す決済方式情報を報知し、
前記第１のシステム制御部は、前記報知手段に対し、前記プリペイド型電子マネーのいずれかが選択されると、選択された前記プリペイド型電子マネーに対応する前記決済方式情報を報知させ、前記ポストペイ型電子マネーのいずれかかが選択されると、選択された前記ポストペイ型電子マネーに対応する前記決済方式情報を報知させ、
前記第２の決済情報管理部は、複数の前記プリペイド決済専用ソフトウェアと、複数の前記ポストペイ決済専用ソフトウェアとを管理し、
前記情報取得部は、いずれかの前記決済方式情報を取得し、
前記第２のシステム制御部は、
前記情報取得部が取得した前記決済方式情報に対応する前記プリペイド決済専用ソフトウェア又は前記ポストペイ決済専用ソフトウェアを起動させる
ことを特徴とする請求項１又は２に記載の決済システム。
【請求項４】
前記第１の接続情報管理部は、接続情報を有し無線ＬＡＮによる第１の通信方式を実行するための第１の通信専用ソフトウェアと、接続情報を有し近距離通信による第２の通信方式を実行するための第２の通信専用ソフトウェアと、接続情報を有しない赤外線通信による第３の通信方式を実行するための第３の通信専用ソフトウェアとを管理し、
前記報知手段は、前記第１〜第３の通信方式に関わる第１〜第３の接続通信情報を報知し、
前記第１のシステム制御部は、前記報知手段に対し、前記第１の通信方式が選択されると、前記第１の通信方式と接続情報とを含む前記第１の接続通信情報を報知させ、前記第２の通信方式が選択されると、前記第２の通信方式と接続情報とを含む前記第２の接続通信情報を報知させ、前記第３の通信方式が選択されると、前記第３の通信方式を含む第３の接続通信情報を報知させ、
前記第２の接続情報管理部は、前記第１〜第３の通信専用ソフトウェアを管理し、
前記情報取得部は、いずれかの前記第１〜第３の接続通信情報を取得し、
前記第２のシステム制御部は、
前記情報取得部が取得したいずれかの前記第１〜第３の接続通信情報に含まれる前記通信方式に対応したいずれかの前記第１〜第３の通信専用ソフトウェアを起動させる
ことを特徴とする請求項２又は３に記載の決済システム。
【請求項５】
前記報知手段は、光を発する発光デバイスあり、
前記第１の決済情報管理部は、それぞれの前記決済方式情報を示す点滅パターンを管理し、
前記第１のシステム制御部は、いずれかの前記決済方式情報を示す点滅パターンに基づき、前記発光デバイスを駆動させる
ことを特徴とする請求項１〜４のいずれかに記載の決済システム。
【請求項６】
前記報知手段は、光を発する発光デバイスあり、
前記第１の接続情報管理部は、それぞれの前記第１〜第３の接続通信情報を示す点滅パターンを管理し、
前記第１のシステム制御部は、いずれかの前記第１〜第３の接続通信情報を示す点滅パターンに基づき、前記発光デバイスを駆動させる
ことを特徴とする請求項２〜４のいずれかに記載の決済システム。
【請求項７】
複数のプリペイド型電子マネーと複数のポストペイ型電子マネーとを含む複数の電子決済方式のそれぞれを実行させるための複数の決済専用ソフトウェアを管理する第１の決済情報管理部と、
それぞれの前記電子決済方式を示す決済方式情報を報知する報知手段と、
前記報知手段に対し、選択された前記電子決済方式を示す決済方式情報を報知させる第１のシステム制御部とを備え、
前記第１のシステム制御部は、前記報知手段に対し、前記プリペイド型電子マネーのいずれかが選択されると、選択された前記プリペイド型電子マネーに対応する前記決済方式情報を報知させ、前記ポストペイ型電子マネーのいずれかかが選択されると、選択された前記ポストペイ型電子マネーに対応する前記決済方式情報を報知させる
ことを特徴とする決済装置。
【請求項８】
接続情報を有し無線ＬＡＮによる第１の通信方式を実行するための第１の通信専用ソフトウェアと、接続情報を有し近距離通信による第２の通信方式を実行するための第２の通信専用ソフトウェアと、接続情報を有しない赤外線通信による第３の通信方式を実行するための第３の通信専用ソフトウェアとを管理する第１の接続情報管理部を備え、
前記第１のシステム制御部は、前記報知手段に対し、前記第１の通信方式が選択されると、前記第１の通信方式と接続情報とを含む第１の接続通信情報を報知させ、前記第２の通信方式が選択されると、前記第２の通信方式と接続情報とを含む第２の接続通信情報を報知させ、前記第３の通信方式が選択されると、前記第３の通信方式を含む第３の接続通信情報を報知させる
ことを特徴とする請求項７に記載の決済装置。
【請求項９】
第２の決済情報管理部により、複数の決済専用ソフトウェアを管理する工程と、
情報取得部により、決済方式情報を取得する工程と、
第２のシステム制御部により、前記情報取得部が取得した決済方式情報に対応する前記決済専用ソフトウェアを起動させる工程とを携帯端末を制御するコンピューターに実行させる
ことを特徴とする決済プログラム。
【請求項１０】
前記第２の接続情報管理部は、無線ＬＡＮによる第１の通信方式を実行するための第１の通信専用ソフトウェアと、近距離通信による第２の通信方式を実行するための第２の通信専用ソフトウェアと、赤外線通信による第３の通信方式を実行するための第３の通信専用ソフトウェアとを管理し、
前記情報取得部は、決済装置から報知される前記第１〜第３の通信方式に関わる第１〜第３の接続通信情報を取得し、
前記第２のシステム制御部は、前記情報取得部が取得したいずれかの前記第１〜第３の接続通信情報に対応するいずれかの前記第１〜第３の通信専用ソフトウェアを起動させる
ことを特徴とする請求項９に記載の決済プログラム。
【発明の詳細な説明】
【技術分野】
【０００１】
本発明は、複数の電子決済方式の利用に適した決済システム、決済装置、決済プログラムに関する。
【背景技術】
【０００２】
たとえば、多機能プリンター、複合機などのＭＦＰ（Ｍｕｌｔｉｆｕｎｃｔｉｏｎ  Ｐｅｒｉｐｈｅｒａｌ）である画像形成装置においては、印刷機能、コピー機能、ＦＡＸ機能、ネットワーク経由でのデータ送受信機能などを搭載している。また、画像形成装置がたとえばコンビニエンスストアに設置されている場合、画像形成装置の印刷機能、コピー機能、ＦＡＸ機能、ネットワーク経由でのデータ送受信機能などを有料で利用できる。
【０００３】
ところで、これらの機能を利用する際の決済は、利用したい機能を選択し、選択した機能の実行前に現金投入口に現金を投入し、機能を実行した後、お釣りを受け取るという方法をとる。また、一部の店舗では、選択した機能の実行前にプリペイドカード又は非接触ＩＣカード機能を搭載した携帯端末を利用して決済する方法を提供している。
【０００４】
携帯端末による決済方法を示すものとして、特許文献１では、非接触ＩＣカード機能（モバイルＦｅｌｉＣａ（登録商標）機能）を有する携帯端末がＦｅｌｉＣａ（登録商標）−ＩＤｍ情報付きの印刷データを、無線ＬＡＮ経由でデジタル複合機に送信すると、デジタル複合機がＦｅｌｉＣａ（登録商標）−ＩＤｍを検知して印刷課金動作を開始し、携帯端末を読取機にかざすことで電子決済の処理を行うプリンター装置を提案している。
【先行技術文献】
【特許文献】
【０００５】
【特許文献１】特開２０１３−１４１８０３号公報
【発明の概要】
【発明が解決しようとする課題】
【０００６】
上述した特許文献１でのプリンター装置では、ＦｅｌｉＣａ（登録商標）−ＩＤｍ情報付きの印刷データを元に決済処理が行われるため、事前にユーザー登録したりすることなく、容易に決済を済ませることができる。
【０００７】
ところで、特許文献１でのプリンター装置では、課金処理を非接触ＩＣカードの電子マネー決済機能を用いて行っているものの、電子マネーの種類については特定していない。すなわち、電子マネーは、電子マネーサービス会社が独自に提供しているものであり、たとえばＥｄｙ（登録商標）、Ｓｕｉｃａ（登録商標）、ＰＡＳＯＭＯ（登録商標）、ｎａｎａｃｏ（登録商標）、ＷＡＯＮ（登録商標）などに代表されるプリペイド型電子マネー（前払い）などがある。また、電子マネーには、ｉＤ（登録商標）、ＱＵＩＣＰａｙ（登録商標）、Ｓｍａｒｔｐｌｕｓ（登録商標）などに代表されるポストペイ型電子マネー（後払い）などがある。
【０００８】
ここで、ユーザーの利便性を考慮すると、今後、任意の電子マネーによる電子決済方式を利用できる決済環境が必要とされるものと予測される。このようなことから、任意の電子マネーによる電子決済方式を利用できるようにすることで、ユーザーの利便性を高めることができる決済システムの構築が望まれている。
【０００９】
本発明は、このような状況に鑑みてなされたものであり、上記問題点を解消することができる決済システム、決済装置、決済プログラムを提供することを目的とする。
【課題を解決するための手段】
【００１０】
本発明の決済システムは、決済装置と、携帯端末とを備え、前記決済装置は、複数の電子決済方式のそれぞれを実行させるための複数の決済専用ソフトウェアを管理する第１の決済情報管理部と、前記電子決済方式を示す決済方式情報を報知する報知手段と、前記報知手段に対し、選択された前記電子決済方式を示す決済方式情報を報知させる第１のシステム制御部とを備え、前記携帯端末は、複数の前記決済専用ソフトウェアを管理する第２の決済情報管理部と、前記決済方式情報を取得する情報取得部と、前記情報取得部が取得した決済方式情報に対応する前記決済専用ソフトウェアを起動させる第２のシステム制御部とを備えることを特徴とする。
また、前記決済装置は、複数の通信方式のそれぞれを実行させるための複数の通信専用ソフトウェアを管理する第１の接続情報管理部を有し、前記携帯端末は、複数の前記通信専用ソフトウェアを管理する第２の接続情報管理部を有し、前記報知手段は、それぞれの前記通信方式に関わる接続通信情報を報知し、前記第１のシステム制御部は、前記報知手段に対し、選択された前記通信方式に関わる接続通信情報を報知させ、前記情報取得部は、前記接続通信情報を取得し、前記第２のシステム制御部は、前記情報取得部が取得した前記接続通信情報に含まれる前記通信方式に対応した前記通信専用ソフトウェアを起動させることを特徴とする。
また、前記電子決済方式は、複数のプリペイド型電子マネーと複数のポストペイ型電子マネーとを含み、前記第１の決済情報管理部は、前記プリペイド型電子マネーの電子決済方式を実行するための複数のプリペイド決済専用ソフトウェアと、前記ポストペイ型電子マネーの電子決済方式を実行するための複数のポストペイ決済専用ソフトウェアとを管理し、前記報知手段は、複数の前記電子決済方式を示す決済方式情報を報知し、前記第１のシステム制御部は、前記報知手段に対し、前記プリペイド型電子マネーのいずれかが選択されると、選択された前記プリペイド型電子マネーに対応する前記決済方式情報を報知させ、前記ポストペイ型電子マネーのいずれかかが選択されると、選択された前記ポストペイ型電子マネーに対応する前記決済方式情報を報知させ、前記第２の決済情報管理部は、複数の前記プリペイド決済専用ソフトウェアと、複数の前記ポストペイ決済専用ソフトウェアとを管理し、前記情報取得部は、いずれかの前記決済方式情報を取得し、前記第２のシステム制御部は、前記情報取得部が取得した前記決済方式情報に対応する前記プリペイド決済専用ソフトウェア又は前記ポストペイ決済専用ソフトウェアを起動させることを特徴とする。
また、前記第１の接続情報管理部は、接続情報を有し無線ＬＡＮによる第１の通信方式を実行するための第１の通信専用ソフトウェアと、接続情報を有し近距離通信による第２の通信方式を実行するための第２の通信専用ソフトウェアと、接続情報を有しない赤外線通信による第３の通信方式を実行するための第３の通信専用ソフトウェアとを管理し、前記報知手段は、前記第１〜第３の通信方式に関わる第１〜第３の接続通信情報を報知し、前記第１のシステム制御部は、前記報知手段に対し、前記第１の通信方式が選択されると、前記第１の通信方式と接続情報とを含む前記第１の接続通信情報を報知させ、前記第２の通信方式が選択されると、前記第２の通信方式と接続情報とを含む前記第２の接続通信情報を報知させ、前記第３の通信方式が選択されると、前記第３の通信方式を含む第３の接続通信情報を報知させ、前記第２の接続情報管理部は、前記第１〜第３の通信専用ソフトウェアを管理し、前記情報取得部は、いずれかの前記第１〜第３の接続通信情報を取得し、前記第２のシステム制御部は、前記情報取得部が取得したいずれかの前記第１〜第３の接続通信情報に含まれる前記通信方式に対応したいずれかの前記第１〜第３の通信専用ソフトウェアを起動させることを特徴とする。
また、前記報知手段は、光を発する発光デバイスあり、前記第１の決済情報管理部は、それぞれの前記決済方式情報を示す点滅パターンを管理し、前記第１のシステム制御部は、いずれかの前記決済方式情報を示す点滅パターンに基づき、前記発光デバイスを駆動させることを特徴とする。
また、前記報知手段は、光を発する発光デバイスあり、前記第１の接続情報管理部は、それぞれの前記第１〜第３の接続通信情報を示す点滅パターンを管理し、前記第１のシステム制御部は、いずれかの前記第１〜第３の接続通信情報を示す点滅パターンに基づき、前記発光デバイスを駆動させることを特徴とする。
本発明の決済装置は、複数のプリペイド型電子マネーと複数のポストペイ型電子マネーとを含む複数の電子決済方式のそれぞれを実行させるための複数の決済専用ソフトウェアを管理する第１の決済情報管理部と、それぞれの前記電子決済方式を示す決済方式情報を報知する報知手段と、前記報知手段に対し、選択された前記電子決済方式を示す決済方式情報を報知させる第１のシステム制御部とを備え、前記第１のシステム制御部は、前記報知手段に対し、前記プリペイド型電子マネーのいずれかが選択されると、選択された前記プリペイド型電子マネーに対応する前記決済方式情報を報知させ、前記ポストペイ型電子マネーのいずれかかが選択されると、選択された前記ポストペイ型電子マネーに対応する前記決済方式情報を報知させることを特徴とする。
また、接続情報を有し無線ＬＡＮによる第１の通信方式を実行するための第１の通信専用ソフトウェアと、接続情報を有し近距離通信による第２の通信方式を実行するための第２の通信専用ソフトウェアと、接続情報を有しない赤外線通信による第３の通信方式を実行するための第３の通信専用ソフトウェアとを管理する第１の接続情報管理部を備え、前記第１のシステム制御部は、前記報知手段に対し、前記第１の通信方式が選択されると、前記第１の通信方式と接続情報とを含む第１の接続通信情報を報知させ、前記第２の通信方式が選択されると、前記第２の通信方式と接続情報とを含む第２の接続通信情報を報知させ、前記第３の通信方式が選択されると、前記第３の通信方式を含む第３の接続通信情報を報知させることを特徴とする。
本発明の決済プログラムは、第２の決済情報管理部により、複数の決済専用ソフトウェアを管理する工程と、情報取得部により、決済方式情報を取得する工程と、第２のシステム制御部により、前記情報取得部が取得した決済方式情報に対応する前記決済専用ソフトウェアを起動させる工程とを携帯端末を制御するコンピューターに実行させることを特徴とする。
また、前記第２の接続情報管理部は、無線ＬＡＮによる第１の通信方式を実行するための第１の通信専用ソフトウェアと、近距離通信による第２の通信方式を実行するための第２の通信専用ソフトウェアと、赤外線通信による第３の通信方式を実行するための第３の通信専用ソフトウェアとを管理し、前記情報取得部は、決済装置から報知される前記第１〜第３の通信方式に関わる第１〜第３の接続通信情報を取得し、前記第２のシステム制御部は、前記情報取得部が取得したいずれかの前記第１〜第３の接続通信情報に対応するいずれかの前記第１〜第３の通信専用ソフトウェアを起動させることを特徴とする。
本発明の決済システム、決済装置、決済プログラムでは、決済装置の第１の決済情報管理部が複数の電子決済方式のそれぞれを実行させるための複数の決済専用ソフトウェアを管理し、決済装置の報知手段が電子決済方式を示す決済方式情報を報知し、決済装置の第１のシステム制御部が報知手段に対し、選択された電子決済方式を示す決済方式情報を報知させる。一方、携帯端末では、第２の決済情報管理部が複数の決済専用ソフトウェアを管理し、情報取得部が決済方式情報を取得し、第２のシステム制御部が情報取得部の取得した決済方式情報に対応する決済専用ソフトウェアを起動させる。
これにより、携帯端末側では、決済装置からの電子決済方式を示す決済方式情報を取得し、取得した決済方式情報に基づき対応する決済専用ソフトウェアを起動させることで、任意の電子決済方式を利用できる。
【発明の効果】
【００１１】
本発明の決済システム、決済装置、決済プログラムによれば、取得した決済方式情報に基づき対応する決済専用ソフトウェアを起動させることで、任意の電子決済方式を利用できるようにしたので、ユーザーの電子決済に関わる利便性を高めることができる。
【図面の簡単な説明】
【００１２】
【図１】本発明の決済システムの一実施形態を示す図である。
【図２】図１のＭＦＰ及び携帯端末の構成の一例を示す図である。
【図３】図２のＭＦＰのパネル部に表示される通信方式選択画面の内容の一例について説明するものであって、図３（ａ）は通信方式毎に選択欄を表示させた場合を示し、図３（ｂ）は優先順位に従って選択欄を表示させた場合を示す図である。
【図４】図２のＭＦＰのパネル部に表示されるプレビュー画面を示す図である。
【図５】図２のＭＦＰのパネル部に表示される決済選択画面を示すものであって、図５（ａ）はプリペイド型電子マネー又はポストペイ型電子マネーの選択を促す決済選択画面を示す図であり、図５（ｂ）はプリペイド型電子マネーの複数の電子決済方式の選択を決済選択画面を示す図であり、図５（ｃ）はポストペイ型電子マネーの複数の電子決済方式の選択を決済選択画面を示す図である。
【図６】図１の決済システムにおけるＭＦＰ側の通信方式選択処理を説明するためのフローチャートである。
【図７】図１の決済システムにおけるＭＦＰ側の電子決済方式選択処理を説明するためのフローチャートである。
【図８】図１の決済システムにおける携帯端末側の通信設定処理を説明するためのフローチャートである。
【図９】図１の決済システムにおける携帯端末側の電子決済方式設定処理を説明するためのフローチャートである。
【図１０】図１のＭＦＰ側で選択された機能の処理の一例について示すものであって、コピー機能が選択された場合でのコピー処理について説明するためのフローチャートである。
【発明を実施するための形態】
【００１３】
以下、本発明の決済システムの一実施形態を、図１〜図１０を参照しながら説明する。
【００１４】
まず、図１に示すように、決済システムは、ＭＦＰ（Ｍｕｌｔｉｆｕｎｃｔｉｏｎ  Ｐｅｒｉｐｈｅｒａｌ）１００、携帯端末３００を備えている。なお、符号２００は、無線通信機を示している。ＭＦＰ１００、無線通信機２００、携帯端末３００は、ＬＡＮ（Ｌｏｃａｌ  Ａｒｅａ  Ｎｅｔｗｏｒｋ）などのネットワーク４００を介して接続されている。
【００１５】
ＭＦＰ１００は、たとえば印刷機能、コピー機能、ＦＡＸ機能、ネットワーク４００経由でのデータ送受信機能などを搭載した複合的な画像形成装置である。また、ＭＦＰ１００は、Ｗｉ−Ｆｉ（登録商標）、Ｗｉ−Ｆｉ  Ｄｉｒｅｃｔ（登録商標）、Ｂｌｕｅｔｏｏｔｈ（登録商標）、ＮＦＣ（登録商標）、Ｆｅｌｉｃａ（登録商標）、ＩｒＤＡ（登録商標）などの複数の無線通信Ｉ／Ｆ（インターフェース：以下、通信方式という）を有している。Ｗｉ−Ｆｉ（登録商標）、Ｗｉ−Ｆｉ  Ｄｉｒｅｃｔ（登録商標）は、無線ＬＡＮの規格に基づいた通信方式である。Ｂｌｕｅｔｏｏｔｈ（登録商標）、ＩｒＤＡ（登録商標）は、近距離通信の規格に基づいた通信方式である。ＮＦＣ（登録商標）、Ｆｅｌｉｃａ（登録商標）は、近距離通信の規格に基づいた通信方式であり、リーダー／ライターモードとエミュレーションモードを有する。エミュレーションモードでは、ＮＦＣ（登録商標）、Ｆｅｌｉｃａ（登録商標）搭載の端末を非接触ＩＣカードとして動作させることができる。
【００１６】
また、ＭＦＰ１００は、様々な電子マネーの決済方式情報などを有している。すなわち、電子マネーには、たとえばプリペイド型電子マネー（前払い）及びポストペイ型電子マネー（後払い）などがある。プリペイド型電子マネー（前払い）としては、Ｅｄｙ（登録商標）、Ｓｕｉｃａ（登録商標）、ＰＡＳＯＭＯ（登録商標）、ｎａｎａｃｏ（登録商標）、ＷＡＯＮ（登録商標）などがある。また、ポストペイ型電子マネー（後払い）としては、ｉＤ（登録商標）、ＱＵＩＣＰａｙ（登録商標）、Ｓｍａｒｔｐｌｕｓ（登録商標）などがある。なお、プリペイド型電子マネー（前払い）及びポストペイ型電子マネー（後払い）のそれぞれの電子マネーは、電子マネーサービス会社が独自に提供しているものであり、決済関連データが異なる。
【００１７】
無線通信機（たとえば無線ＬＡＮのアクセスポイント）２００は、通信方式が、たとえば無線ＬＡＮの規格に基づいたＷｉ−Ｆｉ（登録商標）となっている。携帯端末３００は、スマートフォン、タブレット端末、ノートパソコンなどである。携帯端末３００は、通信回線の電波、又は無線通信機２００を介してネットワーク４００に接続できる。また、携帯端末３００は、無線通信機２００を介してＭＦＰ１００に接続できる。また、携帯端末３００は、上述した近距離通信により、ＭＦＰ１００に接続できる。また、携帯端末３００は、複数の電子決済方式に対応した電子マネー決済機能を有している。なお、電子決済方式とは、異なる決済関連データを処理するための決済手順である。
【００１８】
次に、図２を参照し、ＭＦＰ１００及び携帯端末３００の構成の一例について説明する。まず、ＭＦＰ１００は、プリンター部１０１、Ｉ／Ｆ１０２、送受信部１０３、ＬＥＤ（ｌｉｇｈｔ  ｅｍｉｔｔｉｎｇ  ｄｉｏｄｅ）１０４、パネル部１０５、ＨＤＤ１０６を制御する制御部１１０を備えている。なお、ＭＦＰ１００は、スキャナー部、ＦＡＸ部などを備えていてもよい。
【００１９】
プリンター部１０１は、制御部１１０から出力される印刷データに基づき、図示しない用紙上に画像を印刷するデバイスである。Ｉ／Ｆ１０２は、無線通信機２００を介し携帯端末３００との通信を受け持つ。また、Ｉ／Ｆ１０２は、ネットワーク４００を介し、携帯端末３００との通信を受け持つ。また、Ｉ／Ｆ１０２は、送受信部１０３を介して携帯端末３００との通信を受け持つ。なお、Ｉ／Ｆ１０２は、ネットワーク４００を介して通信を担うものと、送受信部１０３を介して通信を担うものとを別々に設ける必要があるが、説明の都合上、１個として示している。また、Ｉ／Ｆ１０２は、図示しないコンテンツサーバーやウェブサーバーなどとの通信を受け持ってもよい。
【００２０】
送受信部１０３は、無線ＬＡＮのＷｉ−Ｆｉ（登録商標）、Ｗｉ−Ｆｉ  Ｄｉｒｅｃｔ（登録商標）、近距離通信のＢｌｕｅｔｏｏｔｈ（登録商標）、ＮＦＣ（登録商標）、Ｆｅｌｉｃａ（登録商標）、ＩｒＤＡ（登録商標）などのそれぞれの通信方式による電波等を受信したり送信したりする。ＬＥＤ１０４は、点滅によってＭＦＰ１００が有するＷｉ−Ｆｉ（登録商標）、Ｗｉ−Ｆｉ  Ｄｉｒｅｃｔ（登録商標）、Ｂｌｕｅｔｏｏｔｈ（登録商標）、ＮＦＣ（登録商標）、Ｆｅｌｉｃａ（登録商標）、ＩｒＤＡ（登録商標）などのそれぞれの通信方式に関わる後述の接続通信情報を報知する。
【００２１】
ＬＥＤ１０４は、発光デバイスの一例であり、点滅によって上述したそれぞれの通信方式に関わる接続通信情報を報知する。また、ＬＥＤ１０４は、点滅によってＭＦＰ１００が有する上述したプリペイド型電子マネー（前払い）又はポストペイ型電子マネー（後払い）の決済方式情報を報知する。パネル部１０５は、ＭＦＰ１００の印刷機能、コピー機能、ＦＡＸ機能、ネットワーク経由でのデータ送受信機能や、各種設定のための表示を行うタッチパネルなどのデバイスである。また、パネル部１０５は、詳細については後述するが、通信方式及び電子決済方式の選択を促す通信方式選択画面及び決済選択画面を表示する。また、パネル部１０５は、詳細については後述するが、たとえば印刷画像の選択を促すプレビュー画面などを表示する。
【００２２】
ＨＤＤ１０６は、ＭＦＰ１００の種々の機能を提供するためのアプリケーションプログラムなどを記憶している記憶デバイスである。また、ＨＤＤ１０６は、たとえば携帯端末３００や図示しないユーザー端末から登録された印刷ジョブを記憶するユーザーボックスを有している。
【００２３】
制御部１１０は、画像形成プログラムや制御プログラムなどを実行してＭＦＰ１００全体の動作を制御するプロセッサーである。制御部１１０は、プリンター制御部１１１、通信制御部１１２、ＬＥＤ制御部１１３、接続情報管理部１１４ａ、決済情報管理部１１４ｂ、ＲＡＭ１１５、ＲＯＭ１１６、画像処理部１１７、パネル操作制御部１１８、ＨＤＤ制御部１１９、システム制御部１２０を備えている。また、これらは、データバス１２１に接続されている。プリンター制御部１１１は、プリンター部１０１の印刷動作を制御する。通信制御部１１２は、Ｉ／Ｆ１０２を介し、ネットワーク４００を介しての通信と、送受信部１０３を介しての通信とを制御する。なお、通信制御部１１２は、ネットワーク４００を介して通信を担うものと、送受信部１０３を介して通信を担うものとを別々に設ける必要があるが、説明の都合上、１個として示している。
【００２４】
ＬＥＤ制御部１１３は、システム制御部１２０の指示に従い、ＭＦＰ１００が有する上述したそれぞれの通信方式に関わる点滅パターンに基づいて、ＬＥＤ１０４の点滅を制御する。また、ＬＥＤ制御部１１３は、ＭＦＰ１００が有する上述したプリペイド型電子マネー（前払い）又はポストペイ型電子マネー（後払い）のそれぞれの電子決済方式に関わる点滅パターンに基づいて、ＬＥＤ１０４の点滅を制御する。なお、点滅パターンは、それぞれの通信方式と通信方式毎の接続情報とを含む接続通信情報を暗号化した暗号化データを示すものである。また、点滅パターンは、それぞれの電子決済方式を示す決済方式情報を暗号化した暗号化データを示すものである。
【００２５】
接続情報管理部１１４ａは、上述したそれぞれの通信方式と通信方式毎の接続情報とを含む接続通信情報を暗号化した暗号化データを示す点滅パターンと、それぞれの通信方式を実行するための通信専用ソフトウェアとを管理し、システム制御部１２０の指示に従い、通信専用ソフトウェアを起動させる。なお、接続情報は通信方式毎に異なる。すなわち、無線ＬＡＮの場合の接続情報は、ＳＳＩＤ（Ｓｅｒｖｉｃｅ  Ｓｅｔ  Ｉｄｅｎｔｉｆｉｅｒ）と暗号キーとを含む。近距離通信の場合の接続情報は、パスキーを含む。近距離通信のエミュレーションモードの場合は、接続情報が不要である。すなわち、ＭＦＰ１００側と携帯端末３００側の通信専用ソフトウェアが起動していて、ＭＦＰ１００側の送受信部１０３に携帯端末３００をかざすとデータ転送が行われる。
【００２６】
決済情報管理部１１４ｂは、上述したそれぞれの電子決済方式を示す決済方式情報を暗号化した暗号化データを示す点滅パターンと、それぞれの電子決済方式を実行するための決済専用ソフトウェアとを管理し、システム制御部１２０の指示に従い、決済専用ソフトウェアを起動させる。なお、電子決済方式は、通信方式毎に異なる。すなわち、無線ＬＡＮの場合は、無線ＬＡＮの通信設定が完了した後、無線通信機２００経由でＭＦＰ１００での決済処理を行うか、又はダイレクトでＭＦＰ１００での決済処理を行う。また、近距離通信の場合は、送受信部１０３を介してＭＦＰ１００での決済処理を行う。
【００２７】
ＲＡＭ１１５は、プログラムを実行するためのワークメモリーである。ＲＯＭ１１６には、各部の動作チェックなどを行う制御プログラムが記憶されている。画像処理部１１７は、たとえばＨＤＤ１０６のユーザーボックスに登録された印刷ジョブに対する画像処理（ラスタライズ）を行う。なお、システム制御部１２０は、画像処理部１１７が画像処理した印刷データを、一旦、ＲＡＭ１１５に記憶させる。
【００２８】
パネル操作制御部１１８は、パネル部１０５の表示動作を制御する。また、パネル操作制御部１１８は、パネル部１０５を介し、印刷、コピー、ＦＡＸ、ネットワーク経由でのデータ送受信などの開始の設定などを受け付ける。また、パネル操作制御部１１８は、パネル部１０５を介し、後述の通信方式の選択、電子決済方式の選択、印刷画像の選択などを受け付ける。ＨＤＤ制御部１１９は、ＨＤＤ１０６に対するデータの読み込み及び書き込みなどを制御する。
【００２９】
システム制御部１２０は、各部の連携動作を制御する。また、システム制御部１２０は、接続情報管理部１１４ａによる通信専用ソフトウェアの起動や、ＬＥＤ制御部１１３によるＬＥＤ１０４の点滅の制御などを指示する。また、システム制御部１２０は、決済情報管理部１１４ｂによる決済専用ソフトウェアの起動や、ＬＥＤ制御部１１３によるＬＥＤ１０４の点滅の制御などを指示する。なお、システム制御部１２０による接続情報管理部１１４ａに対しての指示のタイミングは、パネル部１０５からの後述の接続情報ボタン１０５Ａ又はおすすめ接続情報ボタン１０５Ｃが操作されたときである。また、システム制御部１２０によるＬＥＤ制御部１１３に対しての指示のタイミングは、パネル部１０５からの後述の通信方式が選択されたときである。また、システム制御部１２０による決済情報管理部１１４ｂに対しての指示のタイミングは、後述のプレビュー画面で決済ボタン１０５Ｅがタッチ操作されたときである。また、システム制御部１２０によるＬＥＤ制御部１１３に対しての指示のタイミングは、後述の決済選択画面で電子決済方式が選択されたときである。
【００３０】
一方、携帯端末３００は、アンテナ３０１、赤外線送受信部３０２、カメラ３０３、パネル部３０４を制御する制御部３１０を備えている。アンテナ３０１は、通信方式がＷｉ−Ｆｉ（登録商標）の場合、無線通信機２００との間で電波を送受信する。また、アンテナ３０１は、通信方式がＷｉ−Ｆｉ  Ｄｉｒｅｃｔ（登録商標）、Ｂｌｕｅｔｏｏｔｈ（登録商標）、ＮＦＣ（登録商標）、Ｆｅｌｉｃａ（登録商標）の場合、ＭＦＰ１００の送受信部１０３との間で電波を送受信する。赤外線送受信部３０２は、通信方式がＩｒＤＡ（登録商標）の場合、ＭＦＰ１００の送受信部１０３との間で赤外線を送受信する。カメラ３０３は、ＭＦＰ１００のＬＥＤ１０４の点滅パターンを撮像する。パネル部３０４は、携帯端末３００の各種機能の選択などを行うタッチパネルなどのデバイスである。
【００３１】
制御部３１０は、制御プログラムなどを実行して携帯端末３００全体の動作を制御するプロセッサーである。制御部３１０は、通信制御部３１１、ＲＡＭ３１２、ＲＯＭ３１３、カメラ制御部３１４、デコード部３１５、接続情報管理部３１６ａ、決済情報管理部３１６ｂ、パネル操作制御部３１７、システム制御部３１８を備えている。また、これらは、データバス３１９に接続されている。
【００３２】
通信制御部３１１は、アンテナ３０１又は赤外線送受信部３０２を介し、ＭＦＰ１００とのデータなどの送受信の制御を行う。なお、通信制御部３１１は、アンテナ３０１を介して通信を担うものと、赤外線送受信部３０２を介して通信を担うものとを別々に設ける必要があるが、説明の都合上、１個として示している。ＲＡＭ３１２は、プログラムを実行するためのワークメモリーである。ＲＯＭ３１３には、各部の動作チェックなどを行う制御プログラムが記憶されている。
【００３３】
カメラ制御部３１４は、カメラ３０３の撮像動作を制御する。デコード部３１５は、カメラ３０３が撮像したＭＦＰ１００のＬＥＤ１０４の点滅パターンを復号し、通信方式及び接続情報と、決済方式情報とを取得する。接続情報管理部３１６ａは、上述したそれぞれの通信方式を実行するための通信専用ソフトウェアを管理し、デコード部３１５が取得した通信方式に対応する通信専用ソフトウェアを起動させる。決済情報管理部３１６ｂは、上述したそれぞれの電子決済方式を実行するための決済専用ソフトウェアを管理し、デコード部３１５が取得した電子決済方式に対応する決済専用ソフトウェアを起動させる。パネル操作制御部３１７は、パネル部３０４の表示動作を制御する。
【００３４】
システム制御部３１８は、各部の連携動作を制御する。また、システム制御部３１８は、接続情報管理部３１６ａに対し、デコード部３１５が取得した通信方式に対応する通信専用ソフトウェアを起動させる。また、システム制御部３１８は、決済情報管理部３１６ｂに対し、デコード部３１５が取得した決済方式情報に対応する決済専用ソフトウェアを起動させる。また、システム制御部３１８は、接続情報管理部３１６ａが起動させた通信専用ソフトウェアとデコード部３１５が取得した接続情報とに基づき、通信制御部３１１を制御する。また、システム制御部３１８は、決済情報管理部３１６ｂが起動させた決済専用ソフトウェアとデコード部３１５が取得した決済方式情報とに基づき、通信制御部３１１を制御する
【００３５】
次に、図３を参照し、ＭＦＰ１００のパネル部１０５に表示される通信方式選択画面の内容の一例について説明する。
【００３６】
まず、図３（ａ）は、パネル部１０５の接続情報ボタン１０５Ａがタッチ操作されることにより表示される通信方式選択画面を示している。なお、接続情報ボタン１０５Ａは、通信方式選択画面の直前の画面に表示されるものである。また、図３（ａ）の通信方式選択画面では、通信方式毎に選択欄１０５ａ〜１０５ｆを表示させた場合を示している。ここで選択欄１０５ａは無線ＬＡＮの規格に基づいたＷｉ−Ｆｉ（登録商標）を示し、選択欄１０５ｂは無線ＬＡＮの規格に基づいたＷｉ−Ｆｉ  Ｄｉｒｅｃｔ（登録商標）を示している。また、選択欄１０５ｃは、近距離通信の規格に基づいたＢｌｕｅｔｏｏｔｈ（登録商標）を示している。また、選択欄１０５ｄは近距離通信の規格に基づいた非接触ＩＣカードとして動作するＮＦＣ（登録商標）を示し、選択欄１０５ｅは近距離通信の規格に基づいた非接触ＩＣカードとして動作するＦｅｌｉｃａ（登録商標）を示し、選択欄１０５ｆは近距離通信の規格に基づいたＩｒＤＡ（登録商標）を示している。パネル部１０５は、タッチパネルなどのデバイスであるため、たとえばＷｉ−Ｆｉ（登録商標）の選択欄１０５ａをタッチ操作して選択した後、決定ボタン１０５Ｂをタッチ操作する。
【００３７】
この場合、システム制御部１２０は、ＬＥＤ制御部１１３に対し、Ｗｉ−Ｆｉ（登録商標）の通信方式に対応させるようにＬＥＤ１０４の制御を指示する。このとき、ＬＥＤ制御部１１３は、接続情報管理部１１４ａが管理しているＷｉ−Ｆｉ（登録商標）の通信方式とＷｉ−Ｆｉ（登録商標）の接続情報とを含む接続通信情報を暗号化した暗号化データを示す点滅パターンに基づき、ＬＥＤ１０４を点滅させる。なお、選択欄１０５ａ以外の選択欄１０５ｂ〜１０５ｆが選択された場合、同様に、ＬＥＤ制御部１１３はシステム制御部１２０の指示に基づき、接続情報管理部１１４ａが管理している他の通信方式に対応する暗号化データを示す点滅パターンに基づき、ＬＥＤ１０４を点滅させる。
【００３８】
一方、図３（ｂ）は、パネル部１０５のおすすめ接続情報ボタン１０５Ｃがタッチ操作されることにより表示される通信方式選択画面を示している。なお、おすすめ接続情報ボタン１０５Ｃは、通信方式選択画面の直前の画面に表示されるものである。図３（ｂ）の通信方式選択画面では、通信方式の優先順位に従って選択欄１０５ａ〜１０５ｆを表示させた場合を示している。通信方式の優先順位は、たとえば近距離通信＞無線ＬＡＮの順に設定されているものとする。つまり、ＮＦＣ（登録商標）＞Ｆｅｌｉｃａ（登録商標）＞Ｂｌｕｅｔｏｏｔｈ（登録商標）＞ＩｒＤＡ（登録商標）＞Ｗｉ−Ｆｉ  Ｄｉｒｅｃｔ（登録商標）＞Ｗｉ−Ｆｉ（登録商標）の順に設定されている。
この例では、ＭＦＰ１００と携帯端末３００との１対１の接続を行う近距離通信の優先順位を、無線ＬＡＮの優先順位よりも高くしている。このように、近距離通信の優先順位を無線ＬＡＮより高くすることで、無線ＬＡＮ以外の選択を促すことができ、無線ＬＡＮの負荷を軽減できる。
また、近距離通信のうち、非接触ＩＣカードとして動作可能なＮＦＣ（登録商標）、Ｆｅｌｉｃａ（登録商標）の優先順位を、Ｐ２Ｐ（Ｐｅｅｒ  ｔｏ  Ｐｅｅｒ）で通信するためにペアリング等の処理が必要なＢｌｕｅｔｏｏｔｈ（登録商標）、ＩｒＤＡ（登録商標）の優先順位よりも高くしている。
また、上記の近距離通信の中で最も通信速度の低いＩｒＤＡ（登録商標）の優先度をＮＦＣ（登録商標）、Ｆｅｌｉｃａ（登録商標）、Ｂｌｕｅｔｏｏｔｈ（登録商標）の優先度よりも低くしている。
【００３９】
ここで、たとえばＮＦＣ（登録商標）の選択欄１０５ｄをタッチ操作して選択した後、決定ボタン１０５Ｂにタッチ操作する。この場合、システム制御部１２０は、ＬＥＤ制御部１１３に対し、ＮＦＣ（登録商標）の通信方式に対応させたＬＥＤ１０４の制御を指示する。このとき、ＬＥＤ制御部１１３は、接続情報管理部１１４ａが管理しているＮＦＣ（登録商標）の通信方式に対応する暗号化データを示す点滅パターンに基づき、ＬＥＤ１０４を点滅させる。
【００４０】
なお、選択欄１０５ｄ以外の選択欄１０５ａ、１０５ｃ〜１０５ｆが選択された場合、同様に、ＬＥＤ制御部１１３はシステム制御部１２０の指示に基づき、接続情報管理部１１４ａが管理している他の通信方式に対応する点滅パターンに基づき、ＬＥＤ１０４を点滅させる。
【００４１】
次に、図４を参照し、ＭＦＰ１００のたとえばコピー機能を利用した場合にパネル部１０５に表示されるプレビュー画面について説明する。なお、以下では、ＭＦＰ１００の利用が有料である場合とする。
【００４２】
まず、図４（ａ）に示すように、ＭＦＰ１００のコピー機能が選択され、図示しない複数枚の原稿が図示しないスキャナー部によって読み取られると、パネル部１０５に印刷画像１０５ｇの一覧を示すプレビュー画面が表示される。パネル部１０５は、タッチパネルなどのデバイスであるため、任意の印刷画像１０５ｇを選択する場合、任意の印刷画像１０５ｇをタッチ操作して選択した後、決定ボタン１０５Ｂをタッチ操作する。これに対し、全ての印刷画像１０５ｇを選択する場合、全選択ボタン１０５Ｄをタッチ操作して全てを選択した後、決定ボタン１０５Ｂをタッチ操作する。
【００４３】
ここで、詳細については後述するが、決済ボタン１０５Ｅをタッチ操作すると、パネル部１０５に後述の決済選択画面が表示される。なお、ＭＦＰ１００と携帯端末３００との間での通信設定がＮＦＣ（登録商標）、Ｆｅｌｉｃａ（登録商標）のいずれかの近距離通信であれば、携帯端末３を非接触ＩＣカードとして動作させ、ＭＦＰ１００側の送受信部１０３に携帯端末３００をかざすとデータ転送が行われ、決済が完了する。
【００４４】
決済が完了すると、図４（ｂ）に示すように、スタートボタン１０５Ｆが表示される。ここで、スタートボタン１０５Ｆをタッチ操作すると、プリンター部１０１により、選択された印刷画像１０５ｇの印刷が開始される。
【００４５】
なお、ここでは、ＭＦＰ１００のコピー機能を利用した場合でのプレビュー画面を説明したが、たとえば印刷機能などを利用する場合、携帯端末３００からＭＦＰ１００に印刷などのジョブデータを送信してもよい。この場合、無線ＬＡＮ、近距離通信、接続通信情報のいずれかでジョブデータを送信できる。また、この場合、本実施形態では、図３で説明したように、ＭＦＰ１００のパネル部１０５に表示される通信方式選択画面から任意の通信方式を選択すればよいため、通信方式の切り替えを容易かつ迅速に行える。
【００４６】
次に、図５を参照し、ＭＦＰ１００のパネル部１０５に表示される決済選択画面について説明する。
【００４７】
まず、図４（ａ）のプレビュー画面で決済ボタン１０５Ｅがタッチ操作されると、パネル部１０５に図５（ａ）に示す決済選択画面が表示される。図５（ａ）に示す決済選択画面では、電子決済方式のプリペイド型電子マネーの選択欄１０５ｈ及びポストペイ型電子マネーの選択欄１０５ｉを表示させた場合を示している。ここで、選択欄１０５ｈをタッチ操作して決定ボタン１０５Ｂをタッチ操作すると、パネル部１０５に図５（ｂ）に示すプリペイド型電子マネーに対応する決済選択画面が表示される。これに対し、選択欄１０５ｉをタッチ操作して決定ボタン１０５Ｂをタッチ操作すると、パネル部１０５に図５（ｃ）に示すポストペイ型電子マネーに対応する決済選択画面が表示される。
【００４８】
図５（ｂ）に示すプリペイド型電子マネーに対応する決済選択画面では、Ｅｄｙ（登録商標）、Ｓｕｉｃａ（登録商標）、ＰＡＳＯＭＯ（登録商標）、ｎａｎａｃｏ（登録商標）、ＷＡＯＮ（登録商標）のそれぞれの選択欄１０５ｊ〜１０５ｎを表示させた場合を示している。ここで、たとえばＥｄｙ（登録商標）の選択欄１０５ｊをタッチ操作して決定ボタン１０５Ｂをタッチ操作すると、システム制御部１２０に選択されたＥｄｙ（登録商標）の電子決済方式が通知される。なお、他の選択欄１０５ｋ〜１０５ｎをタッチ操作して決定ボタン１０５Ｂをタッチ操作すると、システム制御部１２０に選択された他の電子決済方式が通知される。
【００４９】
図５（ｃ）に示すポストペイ型電子マネーに対応する決済選択画面では、ｉＤ（登録商標）、ＱＵＩＣＰａｙ（登録商標）、Ｓｍａｒｔｐｌｕｓ（登録商標）のそれぞれの選択欄１０５ｏ〜１０５ｑを表示させた場合を示している。ここで、たとえばｉＤ（登録商標）の選択欄１０５ｏをタッチ操作して決定ボタン１０５Ｂをタッチ操作すると、システム制御部１２０に選択されたｉＤ（登録商標）の電子決済方式が通知される。なお、他の選択欄１０５ｐ〜１０５ｑをタッチ操作して決定ボタン１０５Ｂをタッチ操作すると、システム制御部１２０に選択された他の電子決済方式が通知される。
【００５０】
次に、図６を参照し、ＭＦＰ１００側の通信方式選択処理について説明する。なお、以下の処理は、図３（ａ）に示した接続情報ボタン１０５Ａがタッチ操作された場合として説明する。
【００５１】
（ステップＳ１０１）
システム制御部１２０は、接続情報の要求があるかどうかを判断する。
この場合、システム制御部１２０は、パネル操作制御部１１８からのパネル部１０５での接続情報ボタン１０５Ａがタッチ操作されたことを示す通知が無ければ接続情報の要求が無いと判断する（ステップＳ１０１：Ｎｏ）。
これに対し、システム制御部１２０は、パネル操作制御部１１８からのパネル部１０５での接続情報ボタン１０５Ａがタッチ操作されたことを示す通知が有れば接続情報の要求が有ると判断し（ステップＳ１０１：Ｙｅｓ）、ステップＳ１０２に移行する。
【００５２】
（ステップＳ１０２）
システム制御部１２０は、通信方式選択画面を表示させる。
この場合、システム制御部１２０は、パネル操作制御部１１８に対し、通信方式選択画面の表示を指示する。このとき、パネル操作制御部１１８は、パネル部１０５に図３（ａ）に示した通信方式選択画面を表示させる。
【００５３】
（ステップＳ１０３）
システム制御部１２０は、通信方式が選択されたかどうかを判断する。
この場合、システム制御部１２０は、パネル操作制御部１１８からのパネル部１０５の通信方式選択画面でのタッチ操作されたことを示す通知が無ければ通信方式が選択されない判断する（ステップＳ１０３：Ｎｏ）。
これに対し、システム制御部１２０は、パネル操作制御部１１８からのパネル部１０５の通信方式選択画面でのタッチ操作されたことを示す通知が有れば通信方式が選択されたと判断し（ステップＳ１０３：Ｙｅｓ）、ステップＳ１０４に移行する。
【００５４】
（ステップＳ１０４）
システム制御部１２０は、無線ＬＡＮかどうかを判断する。
この場合、システム制御部１２０は、選択された通信方式が選択欄１０５ａのＷｉ−Ｆｉ（登録商標）又は選択欄１０５ｂのＷｉ−Ｆｉ  Ｄｉｒｅｃｔ（登録商標）でなければ、無線ＬＡＮが選択されないと判断し（ステップＳ１０４：Ｎｏ）、ステップＳ１０６に移行する。
これに対し、システム制御部１２０は、選択された通信方式が選択欄１０５ａのＷｉ−Ｆｉ（登録商標）又は選択欄１０５ｂのＷｉ−Ｆｉ  Ｄｉｒｅｃｔ（登録商標）であれば、無線ＬＡＮが選択されたと判断し（ステップＳ１０４：Ｙｅｓ）、ステップＳ１０５に移行する。
【００５５】
（ステップＳ１０５）
システム制御部１２０は、ＬＥＤ１０４の点滅を指示する。
この場合、システム制御部１２０は、選択された通信方式がＷｉ−Ｆｉ（登録商標）であれば、ＬＥＤ制御部１１３に対し、Ｗｉ−Ｆｉ（登録商標）の通信方式に対応させるようにＬＥＤ１０４の制御を指示する。また、システム制御部１２０は、選択された通信方式がＷｉ−Ｆｉ  Ｄｉｒｅｃｔ（登録商標）であれば、ＬＥＤ制御部１１３に対し、Ｗｉ−Ｆｉ  Ｄｉｒｅｃｔ（登録商標）の通信方式に対応させるようにＬＥＤ１０４の制御を指示する。
このとき、ＬＥＤ制御部１１３は、システム制御部１２０からの指示がＷｉ−Ｆｉ（登録商標）の通信方式である場合、接続情報管理部１１４ａが管理しているＷｉ−Ｆｉ（登録商標）の通信方式とＷｉ−Ｆｉ（登録商標）の接続情報（ＳＳＩＤ及び暗号キー）とを含む接続通信情報を暗号化した暗号化データを示す点滅パターンに基づき、ＬＥＤ１０４を点滅させる。
また、ＬＥＤ制御部１１３は、システム制御部１２０からの指示がＷｉ−Ｆｉ  Ｄｉｒｅｃｔ（登録商標）の通信方式である場合、接続情報管理部１１４ａが管理しているＷｉ−Ｆｉ  Ｄｉｒｅｃｔ（登録商標）の通信方式とＷｉ−Ｆｉ  Ｄｉｒｅｃｔ（登録商標）の接続情報（ＳＳＩＤ及び暗号キー）とを含む接続通信情報を暗号化した暗号化データを示す点滅パターンに基づき、ＬＥＤ１０４を点滅させる。
【００５６】
（ステップＳ１０６）
システム制御部１２０は、Ｐ２Ｐによる近距離通信かどうかを判断する。
この場合、システム制御部１２０は、選択された通信方式が選択欄１０５ｃのＢｌｕｅｔｏｏｔｈ（登録商標）又はＩｒＤＡ（登録商標）のいずれでもでなければ、Ｐ２Ｐによる近距離通信が選択されないと判断し（ステップＳ１０６：Ｎｏ）、ステップＳ１０７に移行する。
これに対し、システム制御部１２０は、選択された通信方式が選択欄１０５ｃのＢｌｕｅｔｏｏｔｈ（登録商標）又は選択欄１０５ｆのＩｒＤＡ（登録商標）であれば、Ｐ２Ｐによる近距離通信が選択されたと判断し（ステップＳ１０６：Ｙｅｓ）、ステップＳ１０５に移行する。
ここで、ステップＳ１０５に移行した場合、システム制御部１２０は、選択された通信方式がＢｌｕｅｔｏｏｔｈ（登録商標）であれば、ＬＥＤ制御部１１３に対し、Ｂｌｕｅｔｏｏｔｈ（登録商標）の通信方式に対応させるようにＬＥＤ１０４の制御を指示する。また、システム制御部１２０は、選択された通信方式がＩｒＤＡ（登録商標）であれば、ＬＥＤ制御部１１３に対し、ＩｒＤＡ（登録商標）の通信方式に対応させるようにＬＥＤ１０４の制御を指示する。このとき、ＬＥＤ制御部１１３は、接続情報管理部１１４ａが管理しているＢｌｕｅｔｏｏｔｈ（登録商標）の通信方式とＢｌｕｅｔｏｏｔｈ（登録商標）の接続情報（パスキー）とを含む接続通信情報を暗号化した暗号化データを示す点滅パターンに基づき、ＬＥＤ１０４を点滅させる。また、ＬＥＤ制御部１１３は、システム制御部１２０からの指示がＩｒＤＡ（登録商標）の通信方式である場合、接続情報管理部１１４ａが管理しているＩｒＤＡ（登録商標）の通信方式を含む接続通信情報を暗号化した暗号化データを示す点滅パターンに基づき、ＬＥＤ１０４を点滅させる。
【００５７】
（ステップＳ１０７）
システム制御部１２０は、非接触ＩＣカードとの近距離通信かどうかを判断する。
この場合、システム制御部１２０は、選択された通信方式が選択欄１０５ｄのＮＦＣ（登録商標）又は選択欄１０５ｅのＦｅｌｉｃａ（登録商標）のいずれでもなければ、エミュレーションモードを有する近距離通信が選択されないと判断し（ステップＳ１０７：Ｎｏ）、ステップＳ１０４に移行する。
なお、ステップＳ１０７において、たとえば一定時間内に通信方式選択画面での選択が無ければ非接触ＩＣカードとの近距離通信が選択されないと判断し、処理を終了してもよい。
これに対し、システム制御部１２０は、選択された通信方式が選択欄１０５ｄのＮＦＣ（登録商標）又は選択欄１０５ｅのＦｅｌｉｃａ（登録商標）であれば、非接触ＩＣカードとの近距離通信が選択されたと判断し（ステップＳ１０７：Ｙｅｓ）、ステップＳ１０５に移行する。
ここで、ステップＳ１０５に移行した場合、システム制御部１２０は、選択された通信方式がＮＦＣ（登録商標）であれば、ＬＥＤ制御部１１３に対し、ＮＦＣ（登録商標）の通信方式に対応させるようにＬＥＤ１０４の制御を指示する。また、システム制御部１２０は、選択された通信方式がＦｅｌｉｃａ（登録商標）であれば、ＬＥＤ制御部１１３に対し、Ｆｅｌｉｃａ（登録商標）の通信方式に対応させるようにＬＥＤ１０４の制御を指示する。
このとき、ＬＥＤ制御部１１３は、システム制御部１２０からの指示がＮＦＣ（登録商標）の通信方式である場合、接続情報管理部１１４ａが管理しているＮＦＣ（登録商標）の通信方式を含む接続通信情報を暗号化した暗号化データを示す点滅パターンに基づき、ＬＥＤ１０４を点滅させる。また、ＬＥＤ制御部１１３は、システム制御部１２０からの指示がＦｅｌｉｃａ（登録商標）の通信方式である場合、接続情報管理部１１４ａが管理しているＦｅｌｉｃａ（登録商標）の通信方式を含む接続通信情報を暗号化した暗号化データを示す点滅パターンに基づき、ＬＥＤ１０４を点滅させる。
【００５８】
次に、図７を参照し、ＭＦＰ１００側の電子決済方式選択処理について説明する。なお、以下の処理は、図４（ａ）に示した決済ボタン１０５Ｅがタッチ操作された場合として説明する。また、以下では、説明の都合上、プリペイド型電子マネーにおいては、Ｅｄｙ（登録商標）、Ｓｕｉｃａ（登録商標）又はＰＡＳＯＭＯ（登録商標）が選択される場合として説明する。また、ポストペイ型電子マネーにおいては、ｉＤ（登録商標）又はＱＵＩＣＰａｙ（登録商標）が選択される場合として説明する。
【００５９】
（ステップＳ２０１）
システム制御部１２０は、決済ボタン１０５Ｅがタッチ操作されたかどうかを判断する。
この場合、システム制御部１２０は、パネル操作制御部１１８からのパネル部１０５での決済ボタン１０５Ｅがタッチ操作されたことを示す通知が無ければ決済ボタン１０５Ｅがタッチ操作されないと判断する（ステップＳ２０１：Ｎｏ）。
これに対し、システム制御部１２０は、パネル操作制御部１１８からのパネル部１０５での決済ボタン１０５Ｅがタッチ操作されたことを示す通知が有れば決済ボタン１０５Ｅがタッチ操作されたと判断し（ステップＳ２０１：Ｙｅｓ）、ステップＳ２０２に移行する。
【００６０】
（ステップＳ２０２）
システム制御部１２０は、決済選択画面を表示させる。
この場合、システム制御部１２０は、パネル操作制御部１１８に対し、決済選択画面の表示を指示する。このとき、パネル操作制御部１１８は、パネル部１０５に図５（ａ）に示した決済選択画面を表示させる。
【００６１】
（ステップＳ２０３）
システム制御部１２０は、プリペイド型電子マネーが選択されたかどうかを判断する。
この場合、システム制御部１２０は、パネル操作制御部１１８からのパネル部１０５の決済選択画面でプリペイド型電子マネーの選択欄１０５ｈのタッチ操作されたことを示す通知が無ければプリペイド型電子マネーが選択されない判断し（ステップＳ２０３：Ｎｏ）、ステップＳ２０８に移行する。
これに対し、システム制御部１２０は、パネル操作制御部１１８からのパネル部１０５の決済選択画面でプリペイド型電子マネーの選択欄１０５ｈのタッチ操作されたことを示す通知が有ればプリペイド型電子マネーが選択されたと判断し（ステップＳ２０３：Ｙｅｓ）、ステップＳ２０４に移行する。
【００６２】
（ステップＳ２０４）
システム制御部１２０は、プリペイド型電子マネーの決済選択画面を表示させる。
この場合、システム制御部１２０は、パネル操作制御部１１８に対し、図５（ｂ）に示した決済選択画面の表示を指示する。このとき、パネル操作制御部１１８は、パネル部１０５に図５（ｂ）に示した決済選択画面を表示させる。
【００６３】
（ステップＳ２０５）
システム制御部１２０は、Ｅｄｙ（登録商標）が選択されたかどうかを判断する。
この場合、システム制御部１２０は、パネル操作制御部１１８からのパネル部１０５の決済選択画面でＥｄｙ（登録商標）の選択欄１０５ｊのタッチ操作されたことを示す通知が無ければＥｄｙ（登録商標）が選択されない判断し（ステップＳ２０５：Ｎｏ）、ステップＳ２０７に移行する。
これに対し、システム制御部１２０は、パネル操作制御部１１８からのパネル部１０５の決済選択画面でＥｄｙ（登録商標）の選択欄１０５ｊのタッチ操作されたことを示す通知が有ればＥｄｙ（登録商標）が選択されたと判断し（ステップＳ２０５：Ｙｅｓ）、ステップＳ２０６に移行する。
【００６４】
（ステップＳ２０６）
システム制御部１２０は、ＬＥＤ１０４の点滅を指示する。
この場合、システム制御部１２０は、ＬＥＤ制御部１１３に対し、ＬＥＤ１０４の点滅を指示する。このとき、ＬＥＤ制御部１１３は、決済情報管理部１１４ｂが管理しているＥｄｙ（登録商標）による電子決済方式での決済方式情報の暗号化データを示す点滅パターンに基づいて、ＬＥＤ１０４の点滅を制御する。
【００６５】
（ステップＳ２０７）
システム制御部１２０は、Ｓｕｉｃａ（登録商標）が選択されたかどうかを判断する。
この場合、システム制御部１２０は、パネル操作制御部１１８からのパネル部１０５の決済選択画面でＳｕｉｃａ（登録商標）の選択欄１０５ｋのタッチ操作されたことを示す通知が無ければＳｕｉｃａ（登録商標）が選択されない判断し（ステップＳ２０７：Ｎｏ）、ステップＳ２０５に移行する。
これに対し、システム制御部１２０は、パネル操作制御部１１８からのパネル部１０５の決済選択画面でＳｕｉｃａ（登録商標）の選択欄１０５ｋのタッチ操作されたことを示す通知が有ればＳｕｉｃａ（登録商標）が選択されたと判断し（ステップＳ２０７：Ｙｅｓ）、ステップＳ２０６に移行する。
なお。ステップＳ２０６に移行した場合、システム制御部１２０は、ＬＥＤ制御部１１３に対し、ＬＥＤ１０４の点滅を指示する。このとき、ＬＥＤ制御部１１３は、決済情報管理部１１４ｂが管理しているＳｕｉｃａ（登録商標）による電子決済方式を示す決済方式情報の暗号化データを示す点滅パターンに基づいて、ＬＥＤ１０４の点滅を制御する。
また、ステップＳ２０７において、たとえば一定時間内に決済選択画面での選択が無ければ電子決済方式が選択されないと判断し、処理を終了してもよい。
【００６６】
（ステップＳ２０８）
システム制御部１２０は、ポストペイ型電子マネーが選択されたかどうかを判断する。
この場合、システム制御部１２０は、パネル操作制御部１１８からのパネル部１０５の決済選択画面でポストペイ型電子マネーの選択欄１０５ｉのタッチ操作されたことを示す通知が無ければポストペイ型電子マネーが選択されない判断し（ステップＳ２０８：Ｎｏ）、ステップＳ２０３に移行する。
これに対し、システム制御部１２０は、パネル操作制御部１１８からのパネル部１０５の決済選択画面でポストペイ型電子マネーの選択欄１０５ｉのタッチ操作されたことを示す通知が有ればポストペイ型電子マネーが選択されたと判断し（ステップＳ２０８：Ｙｅｓ）、ステップＳ２０９に移行する。
なお、ステップＳ２０８において、たとえば一定時間内に決済選択画面での選択が無ければ電子決済方式が選択されないと判断し、処理を終了してもよい。
【００６７】
（ステップＳ２０９）
システム制御部１２０は、ｉＤ（登録商標）が選択されたかどうかを判断する。
この場合、システム制御部１２０は、パネル操作制御部１１８からのパネル部１０５の決済選択画面でｉＤ（登録商標）の選択欄１０５ｏのタッチ操作されたことを示す通知が無ければｉＤ（登録商標）が選択されない判断し（ステップＳ２０９：Ｎｏ）、ステップＳ２１０に移行する。
これに対し、システム制御部１２０は、パネル操作制御部１１８からのパネル部１０５の決済選択画面でｉＤ（登録商標）の選択欄１０５ｏのタッチ操作されたことを示す通知が有ればｉＤ（登録商標）が選択されたと判断し（ステップＳ２０９：Ｙｅｓ）、ステップＳ２０６に移行する。
なお、ステップＳ２０６に移行した場合、システム制御部１２０は、ＬＥＤ制御部１１３に対し、ＬＥＤ１０４の点滅を指示する。このとき、ＬＥＤ制御部１１３は、決済情報管理部１１４ｂが管理しているｉＤ（登録商標）による電子決済方式での決済方式情報の暗号化データを示す点滅パターンに基づいて、ＬＥＤ１０４の点滅を制御する。
【００６８】
（ステップＳ２１０）
システム制御部１２０は、ＱＵＩＣＰａｙ（登録商標）が選択されたかどうかを判断する。
この場合、システム制御部１２０は、パネル操作制御部１１８からのパネル部１０５の決済選択画面でＱＵＩＣＰａｙ（登録商標）の選択欄１０５ｐのタッチ操作されたことを示す通知が無ければＱＵＩＣＰａｙ（登録商標）が選択されない判断し（ステップＳ２１０：Ｎｏ）、ステップＳ２０３に移行する。
これに対し、システム制御部１２０は、パネル操作制御部１１８からのパネル部１０５の決済選択画面でＱＵＩＣＰａｙ（登録商標）の選択欄１０５ｐのタッチ操作されたことを示す通知が有ればＱＵＩＣＰａｙ（登録商標）が選択されたと判断し（ステップＳ２１０：Ｙｅｓ）、ステップＳ２０６に移行する。
なお。ステップＳ２０６に移行した場合、システム制御部１２０は、ＬＥＤ制御部１１３に対し、ＬＥＤ１０４の点滅を指示する。このとき、ＬＥＤ制御部１１３は、決済情報管理部１１４ｂが管理しているＱＵＩＣＰａｙ（登録商標）による電子決済方式での決済方式情報の暗号化データを示す点滅パターンに基づいて、ＬＥＤ１０４の点滅を制御する。
また、ステップＳ２１０において、たとえば一定時間内に決済選択画面での選択が無ければ電子決済方式が選択されないと判断し、処理を終了してもよい。
【００６９】
次に、図８を参照し、携帯端末３００側の通信設定処理について説明する。
【００７０】
（ステップＳ３０１）
システム制御部３１８は、点滅パターンを撮像させる。
この場合、システム制御部３１８は、カメラ制御部３１４に対し、撮像を指示する。このとき、カメラ制御部３１４は、カメラ３０３の撮像動作を制御する。また、デコード部３１５は、カメラ３０３が撮像したＭＦＰ１００のＬＥＤ１０４の点滅パターンを復号し、接続通信情報である通信方式及び接続情報を取得する。
【００７１】
（ステップＳ３０２）
システム制御部３１８は、デコードが完了したかどうかを判断する。
この場合、システム制御部３１８は、デコード部３１５からのデコード完了の通知が無ければデコードが完了していないと判断する（ステップＳ３０２：Ｎｏ）。
これに対し、システム制御部３１８は、デコード部３１５からのデコード完了の通知が有ればデコードが完了したと判断し（ステップＳ３０２：Ｙｅｓ）、ステップＳ２０３に移行する。
【００７２】
（ステップＳ３０３）
システム制御部３１８は、無線ＬＡＮかどうかを判断する。
この場合、システム制御部３１８は、デコード部３１５が取得した通信方式がＷｉ−Ｆｉ（登録商標）又はＷｉ−Ｆｉ  Ｄｉｒｅｃｔ（登録商標）でなければ、無線ＬＡＮでないと判断し（ステップＳ３０３：Ｎｏ）、ステップＳ３０５に移行する。
これに対し、システム制御部３１８は、デコード部３１５が取得した通信方式がＷｉ−Ｆｉ（登録商標）又はＷｉ−Ｆｉ  Ｄｉｒｅｃｔ（登録商標）であれば、無線ＬＡＮであると判断し（ステップＳ３０３：Ｙｅｓ）、ステップＳ３０４に移行する。
【００７３】
（ステップＳ３０４）
システム制御部３１８は、通信方式に対応した通信専用ソフトウェアを起動させる。
この場合、システム制御部３１８は、接続情報管理部３１６ａに対し、デコード部３１５が取得したＷｉ−Ｆｉ（登録商標）又はＷｉ−Ｆｉ  Ｄｉｒｅｃｔ（登録商標）の通信方式に対応する通信専用ソフトウェアを起動させる。また、システム制御部３１８は、接続情報管理部３１６ａが起動させた通信専用ソフトウェアとデコード部３１５が取得した接続情報（ＳＳＩＤ及び暗号キー）とに基づき、通信制御部３１１を制御することで、通信設定が完了する。これにより、携帯端末３００とＭＦＰ１００との間では、Ｗｉ−Ｆｉ（登録商標）又はＷｉ−Ｆｉ  Ｄｉｒｅｃｔ（登録商標）によっての通信が可能となる。
【００７４】
（ステップＳ３０５）
システム制御部３１８は、Ｐ２Ｐによる近距離通信かどうかを判断する。
この場合、システム制御部３１８は、デコード部３１５が取得した通信方式がＢｌｕｅｔｏｏｔｈ（登録商標）又はＩｒＤＡ（登録商標）のいずれでもでなければ、Ｐ２Ｐによる近距離通信でないと判断し（ステップＳ３０５：Ｎｏ）、ステップＳ３０６に移行する。
これに対し、システム制御部３１８は、デコード部３１５が取得した通信方式がＢｌｕｅｔｏｏｔｈ（登録商標）又は選択欄１０５ｆのＩｒＤＡ（登録商標）であれば、Ｐ２Ｐによる近距離通信であると判断し（ステップＳ３０５：Ｙｅｓ）、ステップＳ３０４に移行する。
ここで、ステップＳ３０４に移行した場合、システム制御部３１８は、デコード部３１５が取得した通信方式がＢｌｕｅｔｏｏｔｈ（登録商標）であれば、接続情報管理部３１６ａに対し、Ｂｌｕｅｔｏｏｔｈ（登録商標）の通信方式に対応する通信専用ソフトウェアを起動させる。また、システム制御部３１８は、デコード部３１５が取得した通信方式がＩｒＤＡ（登録商標）であれば、接続情報管理部３１６ａに対し、ＩｒＤＡ（登録商標）の通信方式に対応する通信専用ソフトウェアを起動させる。システム制御部３１８は、接続情報管理部３１６ａが起動させた通信専用ソフトウェアとデコード部３１５が取得した接続情報（パスキー）とに基づき、通信制御部３１１を制御することで、通信設定が完了する。これにより、携帯端末３００とＭＦＰ１００との間では、Ｂｌｕｅｔｏｏｔｈ（登録商標）又はＩｒＤＡ（登録商標）によっての通信が可能となる。
【００７５】
（ステップＳ３０６）
システム制御部３１８は、非接触ＩＣカードとしての近距離通信かどうかを判断する。
この場合、システム制御部３１８は、デコード部３１５が取得した通信方式がＮＦＣ（登録商標）又はＦｅｌｉｃａ（登録商標）のいずれでもなければ、非接触ＩＣカードとしての近距離通信でないと判断し（ステップＳ３０６：Ｎｏ）、ステップＳ３０３に移行する。
なお、ステップＳ３０６において、たとえば一定時間内にデコード部３１５のデコードが完了していないか、又は通信方式及び接続情報を取得できなければ非接触ＩＣカードとしての近距離通信でないと判断し、処理を終了してもよい。
これに対し、システム制御部３１８は、デコード部３１５が取得した通信方式がＮＦＣ（登録商標）又はＦｅｌｉｃａ（登録商標）であれば非接触ＩＣカードとしての近距離通信であると判断し（ステップＳ３０６：Ｙｅｓ）、ステップＳ３０４に移行する。
ここで、ステップＳ３０４に移行した場合、システム制御部３１８は、デコード部３１５が取得した通信方式がＮＦＣであれば、接続情報管理部３１６ａに対し、ＮＦＣの通信方式に対応する通信専用ソフトウェアを起動させることで、通信設定が完了する。また、システム制御部３１８は、デコード部３１５が取得した通信方式がＦｅｌｉｃａ（登録商標）であれば、接続情報管理部３１６ａに対し、Ｆｅｌｉｃａ（登録商標）の通信方式に対応する通信専用ソフトウェアを起動させることで、通信設定が完了する。ここでの通信設定は、携帯端末３００の近距離通信の設定がリーダー／ライターモードの場合にエミュレーションモードに切り替えることである。携帯端末３００の近距離通信の設定がエミュレーションモードの場合は、通信設定は変更されない。
なお、非接触ＩＣカードとしての近距離通信の場合、ＭＦＰ１００側と携帯端末３００側の通信専用ソフトウェアが起動していれば、ＭＦＰ１００側の送受信部１０３に携帯端末３００をかざすとデータ転送が行われるので、接続情報が不要である。
【００７６】
次に、図９を参照し、携帯端末３００側の電子決済方式設定処理について説明する。なお、以下では、説明の都合上、プリペイド型電子マネーにおいては、Ｅｄｙ（登録商標）、Ｓｕｉｃａ（登録商標）又はＰＡＳＯＭＯ（登録商標）が設定される場合として説明する。また、ポストペイ型電子マネーにおいては、ｉＤ（登録商標）又はＱＵＩＣＰａｙ（登録商標）が設定される場合として説明する。
【００７７】
（ステップＳ４０１）
システム制御部３１８は、点滅パターンを撮像させる。
この場合、システム制御部３１８は、カメラ制御部３１４に対し、撮像を指示する。このとき、カメラ制御部３１４は、カメラ３０３の撮像動作を制御する。また、デコード部３１５は、カメラ３０３が撮像したＭＦＰ１００のＬＥＤ１０４の点滅パターンを復号し、決済方式情報を取得する。
【００７８】
（ステップＳ４０２）
システム制御部３１８は、デコードが完了したかどうかを判断する。
この場合、システム制御部３１８は、デコード部３１５からのデコード完了の通知が無ければデコードが完了していないと判断する（ステップＳ４０２：Ｎｏ）。
これに対し、システム制御部３１８は、デコード部３１５からのデコード完了の通知が有ればデコードが完了したと判断し（ステップＳ４０２：Ｙｅｓ）、ステップＳ４０３に移行する。
【００７９】
（ステップＳ４０３）
システム制御部３１８は、Ｅｄｙ（登録商標）かどうかを判断する。
この場合、システム制御部３１８は、デコード部３１５が取得した決済方式情報がＥｄｙ（登録商標）でなければ、Ｅｄｙ（登録商標）でないと判断し（ステップＳ４０３：Ｎｏ）、ステップＳ４０５に移行する。
これに対し、システム制御部３１８は、デコード部３１５が取得した決済方式情報がＥｄｙ（登録商標）であれば、Ｅｄｙ（登録商標）であると判断し（ステップＳ４０３：Ｙｅｓ）、ステップＳ４０４に移行する。
【００８０】
（ステップＳ４０４）
システム制御部３１８は、電子決済方式に対応したプリペイド又はポストペイド決済専用ソフトウェアを起動させる。
この場合、システム制御部３１８は、決済情報管理部３１６ｂに対し、Ｅｄｙ（登録商標）の電子決済方式を実行するための決済専用ソフトウェアを起動させる。
【００８１】
（ステップＳ４０５）
システム制御部３１８は、Ｓｕｉｃａ（登録商標）かどうかを判断する。
この場合、システム制御部３１８は、デコード部３１５が取得した決済方式情報がＳｕｉｃａ（登録商標）でなければ、Ｓｕｉｃａ（登録商標）でないと判断し（ステップＳ４０５：Ｎｏ）、ステップＳ４０６に移行する。
これに対し、システム制御部３１８は、デコード部３１５が取得した決済方式情報がＳｕｉｃａ（登録商標）であれば、Ｓｕｉｃａ（登録商標）であると判断し（ステップＳ４０５：Ｙｅｓ）、ステップＳ４０４に移行する。
この場合、システム制御部３１８は、決済情報管理部３１６ｂに対し、Ｓｕｉｃａ（登録商標）の電子決済方式を実行するための決済専用ソフトウェアを起動させる。
【００８２】
（ステップＳ４０６）
システム制御部３１８は、ｉＤ（登録商標）かどうかを判断する。
この場合、システム制御部３１８は、デコード部３１５が取得した決済方式情報がｉＤ（登録商標）でなければ、ｉＤ（登録商標）でないと判断し（ステップＳ４０６：Ｎｏ）、ステップＳ４０７に移行する。
これに対し、システム制御部３１８は、デコード部３１５が取得した決済方式情報がｉＤ（登録商標）であれば、ｉＤ（登録商標）であると判断し（ステップＳ４０６：Ｙｅｓ）、ステップＳ４０４に移行する。
この場合、システム制御部３１８は、決済情報管理部３１６ｂに対し、ｉＤ（登録商標）の電子決済方式を実行するための決済専用ソフトウェアを起動させる。
【００８３】
（ステップＳ４０７）
システム制御部３１８は、ＱＵＩＣＰａｙ（登録商標）かどうかを判断する。
この場合、システム制御部３１８は、デコード部３１５が取得した決済方式情報がＱＵＩＣＰａｙ（登録商標）でなければ、ＱＵＩＣＰａｙ（登録商標）でないと判断し（ステップＳ４０７：Ｎｏ）、ステップＳ４０３に移行する。
これに対し、システム制御部３１８は、デコード部３１５が取得した決済方式情報がＱＵＩＣＰａｙ（登録商標）であれば、ＱＵＩＣＰａｙ（登録商標）であると判断し（ステップＳ４０７：Ｙｅｓ）、ステップＳ４０４に移行する。
この場合、システム制御部３１８は、決済情報管理部３１６ｂに対し、ＱＵＩＣＰａｙ（登録商標）の電子決済方式を実行するための決済専用ソフトウェアを起動させる。
なお、ステップＳ４０７において、たとえば一定時間内にデコード部３１５が取得した決済方式情報を確認できなければ、エラーと判断し、処理を終了してもよい。
【００８４】
次に、図１０を参照し、ＭＦＰ１００側で選択された機能の処理について説明する。なお、以下においては、ＭＦＰ１００のコピー機能が選択された場合でのコピー処理について説明する。
【００８５】
（ステップＳ５０１）
システム制御部１２０は、通信方式の選択が完了どうかを判断する。
この場合、システム制御部１２０は、パネル操作制御部１１８からの図３の通信方式選択画面での決定ボタン１０５Ｂがタッチ操作されたことを示す通知が無ければ通信方式の選択が完了していないと判断する（ステップＳ５０１：Ｎｏ）。
これに対し、システム制御部１２０は、パネル操作制御部１１８からの図３の通信方式選択画面での決定ボタン１０５Ｂがタッチ操作されたことを示す通知が有れば通信方式の選択が完了したと判断し（ステップＳ５０１：Ｙｅｓ）、ステップＳ５０２に移行する。   このとき、システム制御部１２０は、接続情報管理部１１４ａに対し、選択された通信方式の通信専用ソフトウェアを起動するよう指示する。接続情報管理部１１４ａは、システム制御部１２０の指示に基づいて、通信専用ソフトウェアを起動する。なお、選択された通信方式が非接触ＩＣカードとの近距離通信である場合、システム制御部１２０は、ＭＦＰ１００がエミュレーションモードであれば、リーダー／ライターモードに切り替える。
【００８６】
（ステップＳ５０２）
システム制御部１２０は、原稿の読み取りが完了したかどうかを判断する。
この場合、システム制御部１２０は、図示しないスキャナー制御部からの原稿の読み取りの完了を示す通知が無ければ、原稿の読み取りが完了していないと判断する（ステップＳ５０２：Ｎｏ）。
これに対し、システム制御部１２０は、図示しないスキャナー制御部からの原稿の読み取りの完了を示す通知が有れば、原稿の読み取りが完了したと判断し（ステップＳ５０２：Ｙｅｓ）、ステップＳ５０３に移行する。
【００８７】
（ステップＳ５０３）
システム制御部１２０は、プレビュー画面を表示させる。
この場合、システム制御部１２０は、パネル操作制御部１１８に対し、プレビュー画面の表示を指示する。
このとき、パネル操作制御部１１８は、パネル部１０５に図４（ａ）に示したプレビュー画面を表示させる。
【００８８】
（ステップＳ５０４）
システム制御部１２０は、印刷画像１０５ｇが選択されたかどうかを判断する。
この場合、システム制御部１２０は、パネル操作制御部１１８からの決定ボタン１０５Ｂのタッチ操作が有ることを示す通知がなければ印刷画像１０５ｇが選択されないと判断する（ステップＳ５０４：Ｎｏ）。
これに対し、システム制御部１２０は、パネル操作制御部１１８からの決定ボタン１０５Ｂのタッチ操作が有ることを示す通知があれば印刷画像１０５ｇが選択されたと判断し（ステップＳ５０４：Ｙｅｓ）、ステップＳ５０５に移行する。
【００８９】
（ステップＳ５０５）
システム制御部１２０は、決済が完了したかどうかを判断する。
この場合、システム制御部１２０は、図４（ａ）に示すプレビュー画面でパネル操作制御部１１８からの決済ボタン１０５Ｅのタッチ操作があることを示す通知があれば、パネル操作制御部１１８に対し、図５（ａ）に示す決済選択画面の表示を指示する。このとき、パネル操作制御部１１８は、パネル部１０５に図５（ａ）に示したプレビュー画面を表示させる。その後、システム制御部１２０は、上述したように、図５（ｂ）又は図５（ｃ）に示す決済選択画面に対するタッチ操作に基づいて、携帯端末３００と指定されたプリペイド型電子マネー又はポストペイ型電子マネーの決済データのやりとりを行う。システム制御部１２０は、たとえば送受信部１０３を介し、携帯端末３００との間でプリペイド型電子マネー又はポストペイ型電子マネーの決済データのやりとりが完了していなければ、決済が完了していないと判断する（ステップＳ５０５：Ｎｏ）。
これに対し、システム制御部１２０は、たとえば送受信部１０３を介し、携帯端末３００との間でプリペイド型電子マネー又はポストペイ型電子マネーの決済データのやりとりが完了していれば、決済が完了したと判断し（ステップＳ５０５：Ｙｅｓ）、ステップＳ５０６に移行する。
【００９０】
（ステップＳ５０６）
システム制御部１２０は、パネル操作制御部１１８に対し、プレビュー画面の表示を指示する。このとき、パネル操作制御部１１８は、パネル部１０５に図４（ｂ）に示したプレビュー画面を表示させる。システム制御部１２０は、スタートボタン１０５Ｆが選択されたかどうかを判断する。
この場合、システム制御部１２０は、パネル操作制御部１１８からのスタートボタン１０５Ｆのタッチ操作が有ることを示す通知がなければスタートボタン１０５Ｆが選択されないと判断する（ステップＳ５０６：Ｎｏ）。
これに対し、システム制御部１２０は、パネル操作制御部１１８からのスタートボタン１０５Ｆのタッチ操作が有ることを示す通知があればスタートボタン１０５Ｆが選択されたと判断し（ステップＳ５０６：Ｙｅｓ）、ステップＳ５０７に移行する。
【００９１】
（ステップＳ５０７）
システム制御部１２０は、印刷画像１０５ｇの印刷を指示する。
この場合、システム制御部１２０は、プリンター制御部１１１に対し、印刷画像１０５ｇの印刷を指示する。このとき、プリンター制御部１１１は、プリンター部１０１により印刷画像１０５ｇの印刷を実行する。
【００９２】
（ステップＳ５０８）
システム制御部１２０は、印刷が完了したかどうかを判断する。
この場合、システム制御部１２０は、プリンター制御部１１１からの印刷の完了を示す通知がなければ印刷が完了していないと判断する（ステップＳ５０８：Ｎｏ）。
これに対し、システム制御部１２０は、プリンター制御部１１１からの印刷の完了を示す通知があれば印刷が完了したと判断し（ステップＳ５０８：Ｙｅｓ）、処理を終了する。
【００９３】
このように、本実施形態では、ＭＦＰ１００（決済装置）の決済情報管理部１１４ｂ（第１の決済情報管理部）が複数の電子決済方式のそれぞれを実行させるための複数の決済専用ソフトウェアを管理し、ＬＥＤ１０４（報知手段）が電子決済方式を示す決済方式情報を報知し、システム制御部１２０（第１のシステム制御部）がＬＥＤ１０４（報知手段）に対し、選択された電子決済方式を示す決済方式情報を報知させる。一方、携帯端末３００では、決済情報管理部３１６ｂ（第２の決済情報管理部）が複数の決済専用ソフトウェアを管理し、カメラ３０３及びデコード部３１５（情報取得部）が決済方式情報を取得し、システム制御部３１８（第２のシステム制御部）がカメラ３０３及びデコード部３１５（情報取得部）の取得した決済方式情報に対応する決済専用ソフトウェアを起動させる。これにより、携帯端末３００側では、ＭＦＰ１００（決済装置）からの電子決済方式を示す決済方式情報を取得し、取得した決済方式情報に基づき対応する決済専用ソフトウェアを起動させることで、任意の電子決済方式を利用できるので、ユーザーの電子決済に関わる利便性を高めることができる。
【００９４】
また、携帯端末３００側では、ＭＦＰ１００（決済装置）側からの任意の通信方式に関わる暗号化データを取得し、取得した暗号化データに基づき通信方式に対応する通信専用ソフトウェアを起動させることで、ＭＦＰ１００（決済装置）に対する任意の通信方式による通信設定が完了することから、任意の通信方式により、任意の電子決済方式を利用できる。
【００９５】
なお、本実施形態では、たとえば図５（ｂ）に示したプリペイド型電子マネーに対応する決済選択画面又は図５（ｃ）に示したポストペイ型電子マネーに対応する決済選択画面で選択した電子決済方式に関わる点滅パターンに基づいて、ＬＥＤ１０４を点滅させる場合として説明した。この例に限らず、図５（ａ）に示した決済選択画面で選択されたプリペイド型電子マネー又はポストペイ型電子マネーの全ての電子決済方式の決済方式情報を暗号化した暗号化データを示す点滅パターンに基づいて、ＬＥＤ１０４を順次点滅させてもよい。そして、携帯端末３００側で必要とする電子決済方式に対応した暗号化データを選択し、選択した電子決済方式に対応する決済専用ソフトウェアを起動させる。この場合、携帯端末３００側で、任意の電子決済方式を選択できる。
【００９６】
また、本実施形態では、たとえば図３（ａ）で説明したように、通信方式選択画面で選択した通信方式に対応する暗号化データを示す点滅パターンに基づき、ＬＥＤ１０４を点滅させる場合としているが、この例に限らず、接続情報ボタン１０５Ａがタッチ操作されたら、全ての通信方式に対応する暗号化データを報知してもよい。この場合、それぞれの通信方式に対応する暗号化データ示す点滅パターンに基づき、ＬＥＤ１０４を順次点滅させる。そして、携帯端末３００側で必要とする通信方式に対応した暗号化データを選択し、選択した通信方式に対応する通信専用ソフトウェアを起動させる。この場合には、携帯端末３００側で、任意の通信方式を選択できる。
【００９７】
また、ＭＦＰ１００側では、おすすめ接続情報ボタン１０５Ｃがタッチ操作されたら、たとえば図３（ｂ）で説明したように、通信方式の優先順位に従って、ＬＥＤ１０４を順次点滅させてもよい。この場合には、携帯端末３００側で、ＭＦＰ１００側がおすすめとする通信方式を選択できる。
【００９８】
また、本実施形態では、携帯端末３００の通信相手をＭＦＰ１００（決済装置）として説明したが、ＭＦＰ１００に限らず、携帯端末３００との通信が可能な他の決済装置を適用してもよい。たとえば携帯端末３００の通信相手を自動販売機、コイン洗車機などのような金銭の支払いが必要な決済装置とした場合、たとえば近距離通信の通信設定とすることで、ポイントの付与などを容易に行える。
【００９９】
いずれにしても、携帯端末３００では、任意の電子決済方式及び任意の通信方式による通信設定が容易であるため、通信相手に応じた電子決済方式及び通信方式の選択を容易に行える。
【０１００】
また、本実施形態では、暗号化データの報知を点滅パターンに基づいたＬＥＤ１０４の点滅によって行う場合としたが、この例に限らず、音声信号などによって暗号化データを報知してもよい。また、ＬＥＤ１０４に限らず、赤外線を発するランプによって暗号化データを報知してもよい。
【符号の説明】
【０１０１】
１００  ＭＦＰ
１０１  プリンター部
１０２  Ｉ／Ｆ
１０３  送受信部
１０４  ＬＥＤ
１０５、３０４  パネル部
１０５Ａ  接続情報ボタン
１０５Ｂ  決定ボタン
１０５Ｃ  おすすめ接続情報ボタン
１０５Ｄ  全選択ボタン
１０５Ｅ  決済ボタン
１０５Ｆ  スタートボタン
１０５ａ〜１０５ｆ、１０５ｈ〜１０５ｑ  選択欄
１０５ｇ  印刷画像
１０６  ＨＤＤ
１１０、３１０  制御部
１１１  プリンター制御部
１１２、３１１  通信制御部
１１３  ＬＥＤ制御部
１１４ａ、３１６ａ  接続情報管理部
１１４ｂ、３１６ｂ  決済情報管理部
１１５、３１２  ＲＡＭ
１１６、３１３  ＲＯＭ
１１７  画像処理部
１１８、３１７  パネル操作制御部
１１９  ＨＤＤ制御部
１２０、３１８  システム制御部
１２１、３１９  データバス
２００  無線通信機
３００  携帯端末
３０１  アンテナ
３０２  赤外線送受信部
３０３  カメラ
３１４  カメラ制御部
３１５  デコード部
４００  ネットワーク
【図１】
2018005711.tif 000003
【図２】
2018005711.tif 000004
【図３】
2018005711.tif 000005
【図４】
2018005711.tif 000006
【図５】
2018005711.tif 000007
【図６】
2018005711.tif 000008
【図７】
2018005711.tif 000009
【図８】
2018005711.tif 000010
【図９】
2018005711.tif 000011
【図１０】
2018005711.tif 000012